(57)【特許請求の範囲】
【請求項１】
順番通りに待ち番号を発給する順番待ち番号発生器と通信して待ち番号を与えられ、与えられた待ち番号を表示するページャにおいて、
前記順番待ち番号発生器と通信するための通信部と、
前記通信部を介して順番待ち番号発生器に固有のＩＤと共に待ち番号要請信号を送信するようにするボタン入力部と、
前記通信部を介して順番待ち番号発生器から発給された待ち番号を受信して表示する待ち番号表示部と、
待機者の性別、年齢、背丈、体重、服装、および待機者に提供されるべきサービスの少なくとも一つによる待機者向け広告情報の入力を受ける入力ポートと、
前記入力ポートを介して入力される前記広告情報を格納するメモリと、
前記メモリに連結され、格納された前記広告情報をデコードして再生させ、前記通信部で順番待ち番号発生器との通信が切れることから紛失状態を判断し、ページャの紛失の際に、返却を要求する映像、騒音、振動および点灯の少なくとも一つを発生させるプロセッサと、
前記プロセッサに連結され、プロセッサで再生させる前記広告情報、ページャの紛失の際に返却を要求する映像、騒音、振動および点灯の少なくとも一つを出力するディスプレイ部と、
前記通信部、前記ボタン入力部、前記待ち番号表示部、前記入力ポート、前記メモリ、前記プロセッサおよび前記ディスプレイ部に動作電源を供給する電源部とを含んでなることを特徴とする、広告機能を有するページャ。
【請求項２】
前記プロセッサは、振動を発生させるモータおよび振動子からなる振動部、並びに知らせ音を発生させるスピーカからなるお知らせ部に連結され、
前記通信部を介して呼び出し信号が受信されると、前記待ち番号表示部を点灯させ、再生中の広告情報を中止し、前記連結されたお知らせ部を作動させて待機者に呼び出しを知らせることを特徴とする、請求項１に記載の広告機能を有するページャ。
【請求項３】
前記ページャは、前記待機者が出入りする出入口に設置されたタグリーダーを介して搬出入が管理される電子タグを内蔵することを特徴とする、請求項１に記載の広告機能を有するページャ。
【請求項４】
ページャが順番に従って待ち番号の発給を受けて待ち番号表示部に表示する順番待ち番号発給段階と、
前記ページャが前記待機者の性別、年齢、背丈、体重、服装、および待機者に提供されるべきサービスの少なくとも一つによる待機者向け広告情報を、ページャに構成されたディスプレイ部を介して再生させることにより、対象マーケッティング広告が行われる広告段階と、
前記広告段階の実施中に通信部を介して呼び出し信号が受信されると、広告を中断し、呼び出しを待機者に知らせる呼出段階と、
前記待機者が呼び出しに応えてお持ちのページャを返却すると、ページャの待ち番号が初期化され、前記ページャの電源部が最小動作電源のみを供給し、さらに待ち番号の発給を受ける前記順番待ち番号発給段階の前まで待機する待機段階と、
前記ページャの通信部が、待ち番号を発給する順番待ち番号発生器と通信可能な範囲から離脱する場合、ページャのプロセッサによって、返却を要求する映像、騒音、振動および点灯の少なくとも一つを前記ディスプレイを介して出力させることにより、ページャの紛失を防止する紛失防止段階とを含んでなることを特徴とする、広告機能を有するページャの制御方法。
【請求項５】
前記順番待ち番号発給段階は、前記ページャのボタン入力部の入力により固有のＩＤと共に待ち番号要請信号が通信部を介して順番待ち番号発生器へ送信されると、受信された順番待ち番号発生器から次の順番の待ち番号が発給されて当該ＩＤのページャに送信され、前記発給された待ち番号を受信した当該ＩＤのページャが前記待ち番号を待ち番号表示部に表示する段階であることを特徴とする、請求項４に記載の広告機能を有するページャの制御方法。
【請求項６】
前記広告段階は、
ページャのメモリに格納された広告情報の順番通りに再生される順次広告モードと、
無作為に選択されて再生されるランダム広告モードと、
中断した広告情報が優先的に再生される連続広告モードと、
前記ページャの通信部を介して待機者の情報に応じる指定広告信号を受信し、ページャのメモリに格納されている広告情報のうち受信された広告信号に該当する広告情報が再生される指定広告モードと、
待機者の情報に応じて広告が選択的に再生されるように、通信部を介して受信される広告情報が再生される対象マーケティングが可能な受信広告モードのうち、いずれか一つのモードで広告が行われる段階であることを特徴とする、請求項４に記載の広告機能を有するページャの制御方法。
【請求項７】
前記呼出段階は、
前記通信部を介して呼び出し信号が受信されると、前記待ち番号表示部が点灯して明りで呼び出しを知らせる点灯知らせ段階と、
前記ディスプレイ部を介して再生中の広告情報の再生が中止され、前記メモリに格納された呼び出しおよび返却を案内する呼出情報がディスプレイ部を介して表示される映像知らせ段階と、
前記ページャに備えられた振動子が作動して振動で呼び出しを知らせる振動知らせ段階と、
前記ページャに備えられたスピーカを介して知らせ音で呼び出しを知らせる音知らせ段階のうち、少なくとも一つの段階を行って待機者に呼び出しを知らせる段階であることを特徴とする、請求項４に記載の広告機能を有するページャの制御方法。
【請求項８】
前記待機段階は、前記ページャの充電またはボタン入力部の入力のいずれか一つによって前記ページャの待ち番号が初期化される初期化段階と、前記ページャ前面の待ち番号表示部を除いた全ての動作電源が遮断される節電段階とを含んでなることを特徴とする、請求項４に記載の広告機能を有するページャの制御方法。
【発明の詳細な説明】
【技術分野】
【０００１】
本発明は、広告機能を有するページャ(pager)およびその制御方法に係り、特に、連続使用が可能であり、紛失、盗難または未返却を防止し、順番を見過ごしてしまうことのないようにするお知らせ機能を有するうえ、待機中に様々な広告を提供して退屈な待ち時間を活用して広告市場を創出することのできる、広告機能を有するページャおよびその制御方法に関する。
【背景技術】
【０００２】
周知の如く、一般に、特定の施設（例えば、銀行、飲食店、病院、風俗営業所、娯楽施設、スキー場などを含む）を用いるために自分の順番を待っている人々は順番待ち番号札発行機から番号札を貰う。
【０００３】
このように順番待ち番号札を貰った利用者は、番号札を持って順番待ちしており、店員の呼び出しボタンの押圧によって、自分の順番を示す番号が表示部に表示されると、自分の順番であることを認知する。
【０００４】
このような過程で、利用者は、順番待ち番号札を貰ってから自分の順番になるまで、当該場所で順番待ちしておりながら、表示部を介して提供される次の利用者の番号と自分の番号札の番号とが一致するかを随時確認しなければならないため、別の仕事に集中することは難しかった。しかも、様々な事情で集中することができなくて自分の順番を見過ごしてしまう場合も頻繁に発生するなど、不便さが多かった。
【０００５】
これを解決するために無線呼出受信機利用案内装置（特許文献１、以下「引用発明１」という）が提案されているが、これは、ダイヤルのための数字キーを備え、外部の操作によってキーデータを発生して出力するキー入力部と、所定の制御を受けてダイヤル信号を発生して出力するダイヤラーと、公衆網と連結された電話ラインに連結され、前記ダイヤル信号を前記電話ラインへ送り出し、前記電話ラインから応答信号を受け取って通話路を形成するラインインターフェース部と、無線呼出番号、前記無線呼出番号それぞれに該当する待ち番号、および前記待ち番号に対応する待ち人数を格納するメモリと、カウンターを備え、前記無線呼出番号の現在待ち番号に対応する待ち人数が一定の数になると、前記無線呼出番号をダイヤルし、通話路が形成されると、案内メッセージを送り出す制御部とを含んでなる。
【０００６】
このような引用発明１は、待ち時間が長くなる場合に他の場所で業務を行うことができるため、待ち時間を活用することができるという利点があるが、管理者側に待機案内装置を設置しなければならないうえ、待機者に無線呼出受信機を提供しなければならないものであって、装備費用負担および管理負担が増加し、近年では無線呼出受信機を用いていないため、実用化には困難さがある。
【０００７】
したがって、近年では順番待ち用ローカルページャシステムおよびその制御方法（特許文献２、以下「引用発明２」という）が提案されているが、これは、図１および図２に示すように、営業所の待機顧客を順番通りに呼び出すための順番待ち用ローカルページャシステムにおいて、ローカルページャと、据え置かれたローカルページの電源を充電させ、前記ローカルページャとの通信を介して脱去有無を実時間にてモニタリングする充電／通信手段と、前記充電／通信手段との通信を介して前記ローカルページャの脱去有無を確認し、ローカルページャの脱去順序通りに呼び出し信号を無線で出力する呼出手段とを含んでなる。
【０００８】
このような引用発明２は、まず、充電／通信手段２００に据え置かれているローカルページャ１００の脱去有無を実時間で確認するが、このために、実時間モニタリングの際に応答するローカルページャの固有番号と、既に格納した各ローカルページャの固有番号とを互いに比較し、応答していないローカルページャを検索した後、応答していない固有番号を有するローカルページャが検索されると、充電／通信手段２００から脱去されたものと判断する（Ｓ４００〜Ｓ４１０）。
【０００９】
前記段階Ｓ４１０でローカルページャ１００が脱去されたと判断される場合、制御手段３３０は、脱去されたローカルページャの脱去順序と固有番号とをマッチングして待ち番号を生成する（Ｓ４２０）。
【００１０】
その後、脱去されたローカルページャの再据置有無を判断し、再据置の際には当該ローカルページャの待ち番号は削除し、削除した待ち番号の次の待ち番号の順位を順次上位順位にシフトするようにメモリ手段３１０を制御する（Ｓ４３０〜Ｓ４４０）。
【００１１】
前記段階Ｓ４３０で再据置がなければ、待ち番号表示ボタンの選択による呼び出しがあるか否かを判断し、呼び出しがあれば、制御手段３００は、前記生成した待ち番号のうち最上位の待ち番号に該当するローカルページャ１００を呼び出す（Ｓ４５０）。
【００１２】
また、前記ローカルページャ脱去判断の際に現在の順位および待機状況を伝送し、一定の時間を周期として前記ローカルページャ１００に上位順位の待機者の数を伝送する（Ｓ４６０）。
その後、制御手段３００は、前記Ｓ４５０段階で呼び出したローカルページャの待ち番号を削除し、次の上位の待ち番号を最上位にシフトする（Ｓ４７０）。
【００１３】
このような動作により、引用発明２は使用の便宜性を図ることができるが、このような引用発明２も、待ち時間中に注意を傾けてローカルページャ１００の呼び出しを注視しなければならないものであって、他の業務を行うことができないという問題点がある。
【００１４】
また、このような引用発明２は、待機者が多いため、呼び出されたローカルページャ１１０を据置段階なしで連続的に待機者に提供する場合、その固有番号が既に削除されているので、連続使用が不可能であるという問題点がある。
【先行技術文献】
【特許文献】
【００１５】
【特許文献１】引用発明１：韓国公開特許第１９９８−０７７５７３号明細書
【特許文献２】引用発明２：韓国登録特許第０８０５９５７号明細書
【発明の概要】
【発明が解決しようとする課題】
【００１６】
本発明は、かかる問題点を解決するためのもので、その目的は、各種の営業所で待機中の人に提供されるページャを介して映像と音響で広告情報を提供することにより退屈さを感じないようにするとともに、広告を介して対象マーケティングが可能であって待ち時間を活用した新しい広告市場を創出し、順番になると、ページャの画面とお知らせ音で知らせることにより、順番を見逃すことなく直ちにサービスを受けることができるようにした、広告機能を有するページャおよびその制御方法を提供する。
【００１７】
本発明の他の目的は、待機者にページャを支給するたびに操作ボタンによってＩＤが出力され、管理者側の順番待ち番号発生器などの順番登録管理システムに登録されるようにすることにより、据置段階を経ることなくページャを連続的に使用することができるようにした、広告機能を有するページャおよびその制御方法を提供する。
【００１８】
本発明の別の目的は、未返却または待機者がページャをお持ちして待機場所から離脱して発生する紛失または盗難が防止されるうえ、自動的にその使用が制限されるようにした、広告機能を有するページャおよびその制御方法を提供する。
【課題を解決するための手段】
【００１９】
上記目的を達成するために、本発明のある観点によれば、順番通りに待ち番号を発給する順番待ち番号発生器と通信して待ち番号を与えられ、与えられた待ち番号を表示するページャにおいて、前記順番待ち番号発生器と通信するための通信部と、前記通信部を介して順番待ち番号発生器に固有のＩＤと共に待ち番号要請信号を送信するようにするボタン入力部と、前記通信部を介して順番待ち番号発生器から発給された待ち番号を受信して表示する待ち番号表示部と、待機中に提供されるべき広告情報の入力を受ける入力ポートと、前記入力ポートを介して入力される前記広告情報を格納するメモリと、前記メモリに連結され、格納された前記広告情報をデコードして再生させるプロセッサと、前記プロセッサに連結され、プロセッサで再生させる前記広告情報をディスプレイするディスプレイ部と、前記待機者が出入りする出入口に設置されたタグリーダーを介して搬出入が管理される電子タグと、前記通信部、前記ボタン入力部、前記待ち番号表示部、前記入力ポート、前記メモリ、前記プロセッサおよび前記ディスプレイ部に動作電源を供給する電源部とを含んでなる、広告機能を有するページャを提供する。
【００２０】
また、本発明の他の観点によれば、ページャが順番に従って待ち番号の発給を受けて待ち番号表示部に表示する順番待ち番号発給段階と、前記順番待ち番号発給段階を経て待ち番号の発給を受けると、ページャのメモリに格納された広告情報がディスプレイ部を介して再生されて広告が行われる広告段階と、前記広告段階の実施中に通信部を介して呼び出し信号が受信されると、広告を中断し、呼び出しを待機者に知らせる呼出段階と、前記待機者が呼び出しに応えてお持ちのページャを返却すると、ページャの待ち番号が初期化され、前記ページャの電源部が最小動作電源のみを供給し、さらに待ち番号の発給を受ける前記順番待ち番号発給段階の前まで待機する待機段階と、ページャの通信部が通信可能な範囲から離脱する場合、返却を要求する映像、騒音、振動、点灯を発生させて紛失を防止する紛失防止段階とを含んでなる、広告機能を有するページャの制御方法を提供する。
【発明の効果】
【００２１】
上述したように、本発明によれば、管理者がページャのボタン入力部を操作して再据置過程なしで直ちに待ち番号を設定して使用することができるため、連続的に迅速な再使用が可能であり、紛失、盗難または未返却が防止されるとともに、ページャを介して予め準備された有用な生活情報、経済指標情報および広告などの情報が再生されることにより、待機者は退屈さを感じることなく待機することができ、広告効果による売上増大の利益だけでなく、対象マーケティングが可能な新しい広告市場を創出して営業利益を増大させることができるという有用な効果がある。
【図面の簡単な説明】
【００２２】
【図１】引用発明２の構成を示す構成図である。
【図２】引用発明２の順番待ち用ローカルページャシステムの制御方法を示すフローチャートである。
【図３】本発明に係る広告機能を有するページャを用いたページャシステムの構成を例示する構成図である。
【図４】本発明に係る広告機能を有するページャの具体的な構成を例示する構成図である。
【図５】本発明に係る広告機能を有するページャの指定広告信号パケットを例示する説明図である。
【図６】本発明に係る広告機能を有するページャの制御方法を例示するフローチャートである。
【発明を実施するための形態】
【００２３】
以下に添付図面を参照しながら、本発明の属する技術分野における通常の知識を有する者が容易に実施し得るように本発明の実施例を詳細に説明する。
【００２４】
まず、本発明の説明において、待機者とは、サービスを受けるか、或いは必要によって順番待ちする側を意味し、管理者とは、多数にサービスを提供し、サービスを受けようとする者を待たせるか、或いは前記待機者に提供されるページャシステムを運営管理する側を意味する。
【００２５】
本発明に係る広告機能を有するページャ２０を用いたページャシステムの全体的な実施例を図３に示し、本発明に係る広告機能を有するページャ２０の具体的な構成を図４に示した。
【００２６】
図示の如く、本発明に係るページャ２０は、順番通りに待ち番号を発給する順番待ち番号発生器１０と通信して待ち番号を与えられ、与えられた待ち番号を表示するページャ２０において、前記順番待ち番号発生器１０と通信するための通信部２１と、前記通信部２１を介して順番待ち番号発生器１０に固有のＩＤと共に待ち番号要請信号を送信するようにするボタン入力部２２と、前記通信部２１を介して順番待ち番号発生器１０から発給された待ち番号を受信して表示する待ち番号表示部２５と、待機中に提供されるべき広告情報の入力を受ける入力ポート２３と、前記入力ポート２３を介して入力される前記広告情報を格納するメモリ２４と、前記メモリ２４に連結され、格納された前記広告情報をデコードして再生させるプロセッサ２８と、前記プロセッサ２８に連結され、プロセッサ２８で再生させる前記広告情報をディスプレイするディスプレイ部２６と、前記プロセッサ２８に連結され、プロセッサ２８の制御に応じて振動或いはお知らせ音を発生させるお知らせ部２７と、前記通信部２１、前記ボタン入力部２２、前記待ち番号表示部２５、前記入力ポート２３、前記メモリ２４、前記プロセッサ２８、前記ディスプレイ部２６および前記お知らせ部２７に動作電源を供給する電源部２９とを含んでなる。
次に、本発明に係るページャを各構成要素別にさらに詳しく説明する。
【００２７】
前記通信部２１は、ＲＦ通信、赤外線通信、ＺｉｇＢｅｅ、Ｗｉ−Ｆｉ、無線イーサネット（登録商標）および移動電話通信の少なくとも一つを介して無線通信が可能なモジュールであり、順番通りに待ち番号を発給および管理する順番待ち番号発生器１０、またはサービスが完了し次第に次の待機者の待ち番号を表示し、呼び出し知らせ音を放送し或いは呼び出し信号を送り出す呼出装置３０とパケット通信することができる。
【００２８】
また、前記ボタン入力部２２は、収去されたページャ２０を初期化させるか、あるいは待機中のページャ２０の固有ＩＤと待ち番号要請信号がパケット化されて通信部２１を介して順番待ち番号発生器１０へ送信されるようにして、順番待ち番号発生器１０から応答される最終待機者の次の順番に発給された待ち番号が前記ページャ２０のディスプレイ部２６などの表面に別途備えられた待ち番号表示部２５に表示されるようにすることにより、待機中のページャ２０を充電据置台に再据置しなくても直ちに使用することができるようにするものである。このようなボタン入力部２２は、ページャ２０自体に構成されてもよく、前記ページャ２０をお持ちしている待機者による誤操作、ハッキング、および他の用途への使用を防止するために、ページャ２０の外部の管理者側に別途の通信モジュールと共に構成されてもよく、或いは管理者がページャ２０の使用または初期化を必要とするときにのみページャ２０に連結してセットし得るように、ページャ２０に脱着式で構成されてもよい。
【００２９】
しかも、前記待ち番号表示部２５は視認性が高く低廉な７セグメントから構成でき、前記入力ポート２３は汎用性の高いＵＳＢポートから構成でき、前記ディスプレイ部２６はＬＣＤから構成でき、前記お知らせ部２７は振動を発生させるモータおよび振動子や、お知らせ音を発生させるスピーカから構成できるが、これに限定されず、技術の発達によって、同じ目的、機能および効果の実現が可能な構成に設計変更できる。
【００３０】
また、前記プロセッサ２８は、デコーダが構成され、前記通信部２１を介して待ち番号が受信されると、メモリ２４に格納された広告情報をデコーダを介してデコードして再生させ、通信部２１を介してサービスを受ける順番になったという意味の呼び出し信号が受信されると、待ち番号表示部２５を点灯させ、再生中の広告情報を中止させ、前記お知らせ部２７を作動させることにより、ページャ２０をお持ちして再生広告を視聴していた待機者に呼び出しを知らせる作動を行う。
【００３１】
ここで、前記広告情報は、テキストやイメージ、動画像などであり、広告だけでなく生活情報、経済指標情報、ニュースなどの有用な情報でありうる。メモリ２４に格納された広告情報のみが再生されるのではなく、通信部２１を介して実時間にて受信される広告情報が再生できる。
【００３２】
これだけでなく、特定のイベントに応じて、或いは待機者の性別、年齢、背丈、体重、服装または提供されるべきサービスの種類などに応じて嗜好や性向などを考慮して待機者に適した広告を指定する図５のようにパケット化した指定広告信号を、ページャ２０が受信し、指定広告信号に基づいて、指定された広告情報が再生されるようにすることにより、対象マーケティングが行われるようにすることが可能である。
【００３３】
しかも、本発明に係る広告機能を有するページャ２０は、呼び出し知らせ機能、および広告情報を再生する動画像再生機能などが実現され、マルチメディアのように活用性が高くて未返却の危険性が高い。このため、前記プロセッサ２８は、順番待ち番号発生器１０または呼出装置３０との周期的な通信を介して通信時間または通信距離に応じてサービス地域の離脱を判断して離脱警告または返却要請のためのお知らせを行うことができるともに、ページャ２０自体の内部に固有のＩＤ情報が格納され、待機者が出入りする出入口に設置されたタグリーダーを介して搬出入が管理される電子タグ５０が内蔵されており、ページャ２０の無断搬出の際に警告が発生するようにすることが可能である。よって、紛失や盗難、未返却などが防止される。
【００３４】
次に、このような本発明に係る広告機能を有するページャ２０の制御方法を図面と共に詳細に説明する。図６に示すように、本発明の広告機能を有するページャ２０の制御方法は、ページャ２０が順番に従って待ち番号の発給を受けて待ち番号表示部２５に表示する順番待ち番号発給段階（Ｓ１０）と、前記順番待ち番号発給段階（Ｓ１０）を介して待ち番号の発給を受けると、ページャ２０のメモリ２４に格納された広告情報がディスプレイ部２６を介して再生されて広告が行われる広告段階（Ｓ２０）と、前記広告段階（Ｓ２０）の実施中に通信部２１を介して呼び出し信号が受信されると、広告を中断し、呼び出しを待機者に知らせる呼出段階（Ｓ３０）と、前記待機者が呼び出しに応えてお持ちのページャ２０を返却すると、ページャ２０の待ち番号が初期化され、前記ページャ２０の電源部２９が最小動作電源のみを供給し、さらに待ち番号の発給を受ける前記順番待ち番号発給段階（Ｓ１０）の前まで待機する待機段階（Ｓ４０）とを含んでなる。
【００３５】
ここで、前記順番待ち番号発給段階（Ｓ１０）は、前記ページャ２０のボタン入力部２２の入力によって固有のＩＤと共に待ち番号要請信号が通信部２１を介して順番待ち番号発生器１０へ送信されると、順番待ち番号発生器１０から次の順番の待ち番号が発給されて当該ＩＤのページャ２０へ送信され、前記発給された待ち番号を受信した当該ＩＤのページャ２０が前記待ち番号を待ち番号表示部２５に表示する段階である。
【００３６】
前記広告段階（Ｓ２０）は、ページャ２０のメモリ２４に格納された広告情報の順番通りに再生される順次広告モードと、ページャ２０のメモリ２４に格納された広告情報のいずれか一つが無作為に選択されて再生されるランダム広告モードと、呼び出しにより中断した広告情報が優先的に再生される連続広告モードと、前記ページャ２０の通信部２１を介して待機者の情報に応じる指定広告信号を受信し、ページャ２０のメモリ２４に格納されている広告情報のうち受信された広告信号に該当する広告情報が再生される指定広告モードと、千番目の訪問者イベントなどの特定イベントに応じて、或いは待機者の性別、年齢、背丈、体重、服装、および提供されるべきサービスの種類などといった待機者の情報に応じて嗜好や性向などを考慮して待機者に適した広告が選択的に再生されるように、通信部２１を介して受信される広告情報が再生される対象マーケティングが可能な受信広告モードのいずれか一つで広告が行われる段階である。
【００３７】
前記呼出段階（Ｓ３０）は、前記通信部２１を介して呼び出し信号が受信されると、前記待ち番号表示部２５が点灯して明りで呼び出しを知らせる点灯知らせ段階と、前記ディスプレイ部２６を介して再生中の広告情報の再生が中止され、前記メモリ２４に格納された呼び出しおよび返却を案内する呼出情報がディスプレイ部２６を介して表示される映像知らせ段階と、前記ページャ２０に備えられた振動子が作動して振動で呼び出しを知らせる振動知らせ段階と、前記ページャ２０に備えられたスピーカを介してお知らせ音で呼び出しを知らせる音知らせ段階のうち、少なくとも一つの段階を行って待機者に呼び出しを知らせる段階である。
【００３８】
また、前記待機段階（Ｓ４０）は、前記ページャ２０の充電またはボタン入力部２２の入力のうちいずれか一つによって前記ページャ２０の待ち番号が初期化される初期化段階と、前記ページャ２０前面の待ち番号表示部２５を除いた全ての動作電源が遮断される節電段階とから構成できる。
【００３９】
前記ページャ２０は、自体の内部に固有のＩＤ情報が格納され、待機者が出入りする出入口に設置されたタグリーダーを介して搬出入が管理される電子タグ５０が内蔵され、ページャ２０の無断搬出の際に警告が発生するようにし、或いはページャ２０の通信部２１が管理者側の順番待ち番号発生器１０または呼出装置３０と周期的に通信して待機中のことを確認することができ、このような通信を介して待機中のことを確認している間に、前記ページャ２０が通信可能な範囲から離脱して管理者側の順番待ち番号発生器１０または呼出装置３０との通信が切れる場合、ページャ２０は再生中の広告を中断し、返却を要求する映像、騒音、振動、点灯を発生させ、管理者側の順番待ち番号発生器１０または呼出装置３０から通信の切れたページャ２０のＩＤと共に待機地域からの離脱を管理者に知らせて即刻措置されるようにして紛失を防止する紛失防止段階（Ｓ５０）をさらに含んでもよい。
以上のように、本発明は、前述した実施例に限定されず、本発明が意図する要旨および概念内で様々に変化させて実施することが可能である。
【符号の説明】
【００４０】
１０    順番待ち番号発生器
２０    ページャ
２１    通信部
２２    ボタン入力部
２３    入力ポート
２４    メモリ
２５    番号表示部
２６    ディスプレイ部
２７    お知らせ部
２８    プロセッサ
２９    電源部
３０    呼出装置
４０    コンピュータ
５０    電子タグ
Ｓ１０    順番待ち番号発給段階
Ｓ２０    広告段階
Ｓ３０    呼出段階
Ｓ４０    待機段階
Ｓ５０    紛失防止段階
【図１】
0005391219.tif 000002
【図２】
0005391219.tif 000003
【図３】
0005391219.tif 000004
【図４】
0005391219.tif 000005
【図５】
0005391219.tif 000006
【図６】
0005391219.tif 000007